(57)【要約】      （修正有）【課題】磁性体マークを備える帳票体等に関し、搬送される帳票体に形成される磁性体マーク数の増加を図り、反転をも検知可能として着磁パターンを確実に認識させる。【解決手段】帳票体１１の帳票基部１２上で、複数の磁性体マーク１３Ａ〜１３Ｅのうちの一に基準磁性体マーク１３Ａとさせる着磁が施されると共に、他の複数の磁性体マーク１３Ｂ〜１３Ｅの何れか又は全部に対して個別先を区別するため着磁が施されて所望の着磁パターンとさせるもので、当該基準磁性体マーク１３Ａを搬送方向に対する垂直方向上の中央以外の部分である一端に形成させ、当該基準磁性体マーク１３Ａと他の複数の磁性体マーク１３Ｂ〜１３Ｅの一群とを搬送方向にずらせて形成させる構成とする。【選択図】図１
2010140304.tif 000002
【特許請求の範囲】
【請求項１】
複数の磁性体マークが、後に搬送される際の搬送方向に対する垂直方向に所定列で形成され、複数の磁性体マークのうちの一に基準磁性体マークとさせる着磁を施されると共に、他の複数の磁性体マークの何れか又は全部に対して個別先を区別するための着磁が施されて所望の着磁パターンとされ、当該着磁された磁性体マークを対応する磁気センサにより非接触で検知させる磁性体マークを備える帳票体であって、
前記基準磁性体マークを前記垂直方向上の中央以外の部分に形成させ、当該基準磁性体マークと前記他の複数の磁性体マークの一群とを前記搬送方向にずらせて形成させることを特徴とする磁性体マークを備える帳票体。
【請求項２】
封緘体に封入された請求項1記載の帳票体に対して、前記基準磁性体マーク及び他の磁気マークを検知するマーク検知システムであって、
前記帳票体を封入した封緘体を搬送する搬送手段と、
前記帳票体が封入された封緘体の搬送上に設けられ、前記磁性体マークの個数と同等又は多い磁気センサを当該磁性体マークに単一又は複数で割り当てて配置させたマーク検知部と、
前記基準磁性体マークに対応した前記マーク検知部の磁気センサによるマーク検知と、他の複数の磁性体マークの一群に対応した何れかの磁気センサのマーク検知との検知時間要素より前記封緘体内の帳票体が反転しているか否かを判別し、反転されていない場合に当該他の複数の磁性体マークの一群を検知した所定の磁気センサより前記着磁パターンを判別する検知処理手段と、
を有することを特徴とするマーク検知システム。
【発明の詳細な説明】
【技術分野】
【０００１】
本発明は、形成される所定数の磁性体マークのうち、所定の磁性体マークが着磁される帳票体及び着磁された磁性体マークを検知するマーク検知システムに関する。
【背景技術】
【０００２】
近年、例えば帳票体を封緘体に封入した後に、個別先に配送することが行われ、封緘体に、実際に個別先毎の帳票体が封入されているか、異なる帳票体が混在していないか、封緘体内に反転されて封入されていないかを検査することが行われている。このような検査を行うに際して帳票体には検査のためのマーク等が形成され、当該マーク等を確実に認識させることを前提として、封入される帳票体を反転をも検知させる必要があり、一方でマッチングのためのパターン数の増加も望まれる。
【０００３】
従来、封緘体に封入した帳票体のマッチングを行うために、当該帳票体に印刷された宛名とそれぞれマッチングのためのマークや符号とを付しておき、宛名を読み取ると共に、マークや符号を認識することでマッチングの正否を判別することが一般的に行われている。このような帳票体に付すマッチングのためのマークや符号について、以下の特許文献１で提案されているものがある。
【０００４】
上記特許文献１では、シートに照合記号（バーコード）を付すもので、当該照合記号が金属または金属粉入りインキで印刷し、当該照合記号をＸ線透過による検査装置により読み取ってマッチング検査を行うことが提案されている。また、インキの他に、導電粉末入りのトナーを定着させる技術も提案されている。
【０００５】
しかしながら、上記特許文献１で提案されているように、シートに照合記号（バーコード）を形成させるに際して、Ｘ線で検出可能な金属または金属粉入りインキで印刷を行うことによって可変的データを容易に照合記号として形成させることができるものであるが、インキ内に含ませる金属または金属粉の量はインキという特性上限度があって形成シート上に何枚かの介在物があると、下層の照合記号が認識されないか、または誤認識する場合も生じてくると共に、Ｘ線を使用するシステムは高価となる。
【０００６】
一方、Ｘ線ではなく、磁性体で内容物を検知する技術が以下の特許文献２で提案されている。当該特許文献２は、自己の有する保磁力を越える交番磁界を与えたときに急峻な磁化反転を生じる強磁性体粉末を含有したインキまたは塗料を、包装用箱に収納される内容物に印刷または塗布して検知用マークを設けるというものである。
【０００７】
上記特許文献２で提案されているものは、内容物に設けた検知用マークに対して、両側に当該強磁性体の保持力を超える交番磁界を印加する発生用コイルと検知用コイルとを配置して検知用マークを検知するものであるから、これを帳票体のマッチング等に適用することは高価になることもあって現実的ではない。
【０００８】
【特許文献１】特許第３０９８５５７号公報
【特許文献２】特開２００３−２８５８０８号公報
【０００９】
上記特許文献１、２に鑑みて、本出願人は、マッチング用マークを磁性体で形成し、これを磁気センサにより非接触で検知することを想到したものである。
【００１０】
そこで、図１３に本発明の前提となる帳票体の一例の説明図を示すと共に、図１４に図１３における帳票体のマーク検知の説明図を示す。図１３（Ａ）は、封緘体に封入させる帳票体を示したもので、図１３（Ａ）において、連続帳票体１０１が搬送方向両側にマージナル部１０２Ａ，１０２Ｂを形成させ、個片帳票体１０３Ａ〜１０３Ｃで構成する一の帳票体１０３が連続されたものであって、個片帳票体１０３Ａ〜１０３Ｃの何れかに、その一方端のマーク形成領域に、磁性体粉が混入されたインキで印刷により例えば５つの磁性体マーク１１１Ａ〜１１１Ｄが搬送方向に対する垂直方向（幅方向）に連設され、帳票体１０３毎に、磁性体マーク１１１Ａを基準マークとして着磁しておき、残りの何れかの磁性体マーク１１１Ｂ〜１１１Ｄが着磁されて所望の着磁パターンが形成される。この場合、反転を検知するために、例えば磁性体マーク１１１Ｄ側に空き領域１１１Ｅが形成される。また、何れかの個片帳票体１０３Ａ〜１０３Ｃの所定箇所に住所、氏名、識別符号等が印刷される。
【００１１】
上記連続帳票体１０１は、搬送中の一工程でマージナル部１０２Ａ，１０２Ｂが除去され、また、単一の帳票体１０３に切断されて、折込線１０４で例えばＺ折りで折曲される。このような折曲された帳票体１０３が、図１３（Ｂ）に示されるように、封緘体１０５に封入されるもので、このときに当該封緘体１０５の窓部１０６に上記印刷した住所、氏名、識別符号等が表出されるように帳票体１０３が封入される。この状態で当該帳票体１０３に形成された磁性体マーク１１１Ａ〜１１１Ｄの何れかに着磁された磁性体マーク（以下、磁気マークという）の位置による着磁パターンと、当該封緘体１０５の窓部１０６より表出される認識符号を認識してマッチングが行われるものである。
【００１２】
上記マッチングは、図１４に示すように、封入工程の後に搬送手段１２１により図示しない撮像位置まで搬送されて窓部１０６より表出された識別符号が撮像、認識され、さらにマーク検出位置まで搬送されて配置されたマーク検知部１２２により何れかの着磁された磁性体マーク１１１Ａ〜１１１Ｄのうちの磁気マークが検知され、認識された識別符号と検知された磁気マークの位置の着磁パターンとでマッチングが行われるものである。
【００１３】
すなわち、上記マーク検知部１２２は、搬送されてくる封緘体１０５に封入された帳票体１０３の磁性体マーク１１１Ａ〜１１１Ｄに対してそれぞれ磁気センサ１３１〜１３５で対応されており、何れかの磁気センサ１３１〜１３５が検知することで磁気マークの位置が判別されるものである。ところで、上記基準とした磁気マーク１１１Ａは、正規ならば磁気センサ１３１で検知されるものであるが、例えば帳票体１０３が封緘体１０５内で搬送方向に対する垂直方向（帳票体１０３の幅方向）に反転されて封入されていた場合、当該基準とした磁気マーク１１１Ａは磁気センサ１３５で検知されることとなって、反転されていることを判別させることができるものである。
【発明の開示】
【発明が解決しようとする課題】
【００１４】
しかしながら、図１３（Ａ）に示すように、上記反転封入を検知させるために空き領域１１１Ｅを形成させた場合、当該空き領域１１１Ｅはスペース上では無駄な領域となる。例えば、図１３及び図１４では基準の磁気マーク１１１Ａ以外の磁気マーク１１１Ｂ〜１１１Ｄの３つの磁性体マークで着磁によるパターンを形成させてマッチングを行わせているが、パターン数が３つの組み合わせにならざるを得ず、当該帳票体１０３の折り込んだ場合の搬送幅方向一杯に磁性体マークを形成してパターン数の増加を図ることができないという問題がある。
【００１５】
そこで、本発明は上記課題に鑑みなされたもので、搬送される帳票体に形成される磁性体マーク数の増加を図り、反転をも検知可能として着磁パターンを確実に認識させる磁性体マークを備える帳票体及びマーク検知システムを提供することを目的とする。
【課題を解決するための手段】
【００１６】
上記課題を解決するために、請求項１の発明では、複数の磁性体マークが、後に搬送される際の搬送方向に対する垂直方向に所定列で形成され、複数の磁性体マークのうちの一に基準磁性体マークとさせる着磁を施されると共に、他の複数の磁性体マークの何れか又は全部に対して個別先を区別するための着磁が施されて所望の着磁パターンとされ、当該着磁された磁性体マークを対応する磁気センサにより非接触で検知させる磁性体マークを備える帳票体であって、前記基準磁性体マークを前記垂直方向上の中央以外の部分に形成させ、当該基準磁性体マークと前記他の複数の磁性体マークの一群とを前記搬送方向にずらせて形成させることを特徴とする磁性体マークを備える構成とする
【００１７】
請求項２の発明では、封緘体に封入された請求項1記載の帳票体に対して、前記基準磁性体マーク及び他の磁気マークを検知するマーク検知システムであって、前記帳票体を封入した封緘体を搬送する搬送手段と、前記帳票体が封入された封緘体の搬送上に設けられ、前記磁性体マークの個数と同等又は多い磁気センサを当該磁性体マークに単一又は複数で割り当てて配置させたマーク検知部と、前記基準磁性体マークに対応した前記マーク検知部の磁気センサによるマーク検知と、他の複数の磁性体マークの一群に対応した何れかの磁気センサのマーク検知との検知時間要素より前記封緘体内の帳票体が反転しているか否かを判別し、反転されていない場合に当該他の複数の磁性体マークの一群を検知した所定の磁気センサより前記着磁パターンを判別する検知処理手段と、を有する構成とする。
【発明の効果】
【００１８】
請求項１の発明によれば、帳票体上で、複数の磁性体マークのうちの一に基準磁性体マークとさせる着磁が施されると共に、他の複数の磁性体マークの何れか又は全部に対して個別先を区別するため着磁が施されて所望の着磁パターンとさせるもので、当該基準磁性体マークを搬送方向に対する垂直方向上の中央以外の部分に形成させ、当該基準磁性体マークと他の複数の磁性体マークの一群とを搬送方向にずらせて形成させる構成とすることにより、当該ずれから各磁性体マークに対応した磁気センサによる検知の検知時間要素で封緘体内の正規又は反転の封入状態を判別可能とさせることができると共に、基準磁性体マークと着磁パターンを構成する他の磁性体マークの一群とは搬送方向上で別位置とされることから、当該着磁パターンを構成する他の磁性体マークの一群を垂直方向上で制約なくその個数増加を図ることができるものである。
【００１９】
請求項２の発明によれば、帳票体の磁性体マークの個数と同等又は多い磁気センサを当該磁性体マークに割り当て、基準磁性体マークに対応した磁気センサによるマーク検知と、他の複数の磁性体マークの一群に対応した何れかの磁気センサのマーク検知との検知時間要素より封緘体内の帳票体が反転しているか否かを判別させ、反転されていない場合に当該他の複数の磁性体マークの一群を検知した所定の磁気センサより着磁パターンを判別させる構成とすることにより、帳票体に形成された複数の磁性体マークが基準磁性体マークと他の複数の磁性体マークの一群とがずれていることから、帳票体の封緘体内での正規又は反転の封入状態が判別可能となって基準磁性体マークと他の複数の磁性体マークの一群とを磁気センサの検知状態により確実に特定することができ、ひいては着磁パターンを確実に認識することができるものである。また、磁気センサを磁性体マークの個数を多く配置させて一の磁性体マークに複数の磁気センサを割り当てることで、封緘体内での帳票体の搬送方向に対する垂直方向へのずれに対して対処することができるものである。
【発明を実施するための最良の形態】
【００２０】
以下、本発明の最良の実施形態を図により説明する。
図１に、本発明の帳票体の一部を示した構成図を示す。図１において、例えば前述の図１３（Ａ）に示すような単一の帳票体１１（１０３）のＺ折りされた個片帳票体（１０３Ｂ）と同様であり、その帳票基部１２の例えば端部の磁性体マーク形成領域に、一例として、基準磁性体マークとなる磁性体マーク１３Ａと他の複数の磁性体マークの一群１３Ｂ〜１３Ｅとが、後に搬送される際の搬送方向に対する垂直方向にずらせて２列で形成される。当該磁性体マーク１３Ａ〜１３Ｅは、例えば印刷インキに磁性体粉を混入させて一般的な印刷技術により形成することができる。
【００２１】
すなわち、基準磁性体マーク１３Ａが垂直方向上の中央以外の部分、例えば一端に形成され、当該基準磁性体マーク１３Ａに対して他の複数の磁性体マーク１３Ｂ〜１３Ｅの一群が搬送方向にずらせた列で垂直方向に連設状態で形成されるものである。当該基準磁性体マーク１３Ａには着磁が施され、他の複数の磁性体マーク１３Ｂ〜１３Ｅの一群には何れか又は全部に対して個別先を区別するための着磁が施されて所望の着磁パターン（図３（Ａ）で説明する）とされる。
【００２２】
そこで、図２に、図１の帳票体の着磁された磁性体マークを検知する第１実施形態のマーク検知システムの一部を示した説明図する。図２はマーク検知システム２１の一部を示したもので、例えばベルト搬送の搬送手段２２における搬送方向上の所定位置にマーク検知部２３が配置され、当該マーク検知部２３は、上記帳票体１１の各磁性体マーク１３Ａ〜１３Ｅに対応させたそれぞれの磁気センサ２４Ａ〜２４Ｅを備える。ここでは、磁性体マーク１３Ａを基準磁性体マークとして、磁気センサ２４Ａを割り当て、他の磁性体マーク１３Ｂ〜１３Ｅに対してそれぞれ磁気センサ２４Ｂ〜２４Ｅを割り当てている。そして、搬送手段２２上で、搬送方向におけるマーク検知部２３の前段に先端検出部２５が設けられる。
【００２３】
上記磁気センサ２４Ａ〜２４Ｅの当該磁性体マーク１３Ａ〜１３Ｅに対する対応位置としては、例えば各磁性体マーク１３Ａ〜１３Ｅの中心位置が搬送方向上で磁気センサ２４Ａ〜２４Ｅと重なる位置とさせるものである。当該磁気センサ２４Ａ〜２４Ｅとしては、例えば、ＭＲ（磁気抵抗効果）センサ等を採用することができる。
【００２４】
一方、上記搬送手段２２上では封緘体３１が順次搬送されるもので、当該封緘体３１には、窓部３２が設けられて図１に示す帳票体１１が封入され、当該帳票体１１に印刷された宛名等が当該窓部３２より視認可能に表出されたものである。例えば、窓部３２より表出した情報を撮像して認識し、後に判別する磁性体マーク１３Ｂ〜１３Ｅの着磁パターンと照合して次の課程のマッチング手段によりマッチングが行われるものである。
【００２５】
なお、マーク検知における検知処理手段は図示を省略する。当該検知処理手段は、基準磁性体マーク１３Ａに対応したマーク検知部２３の磁気センサ２４Ａによるマーク検知と、他の複数の磁性体マーク１３Ｂ〜１３Ｅの一群に対応した何れかの磁気センサ２４Ｂ〜２４Ｅのマーク検知との検知時間要素（図３〜図５で説明する）より封緘体３１内の帳票体が反転しているか否かを判別し、反転されていない場合に当該他の複数の磁性体マーク１３Ａ〜１３Ｅの一群を検知した所定の磁気センサ２４Ｂ〜２４Ｅより着磁パターンを判別するプログラムである（詳細は後述する）。また、当該検知処理手段は、着磁パターンを判別するにあたり、図３（Ａ）に示すような識別マークパターンのテーブルを備える。
【００２６】
そこで、図３に、図２のマーク検知の説明図を示す。図３（Ａ）は上記検知処理手段の備える識別マークパターンの説明図、図３（Ｂ）は封緘体３１内に図１の帳票体１１が正規な状態で封入されている場合の説明図、図３（Ｃ）はマーク検知部２３の磁気センサ２４Ａ〜２４Ｅの着磁された磁性体マークの検知を示した説明図である。
【００２７】
図３（Ａ）は、図１の帳票体１１の各磁性体マークの着磁状態による識別マークパターンのテーブルであり、基準磁性体マーク１３Ａには常に着磁が施され、他の４つの磁性体マーク１３Ｂ〜１３Ｅに対する着磁の組み合わせパターン（着磁パターン）で１２通りの識別マークパターンとしたものである。この１２通りの識別マークパターンを、順次搬送される封緘体３１内の帳票体１１毎に割り当てることで当該帳票体１１同士を区別させて上述のマッチングを可能とさせるものである。
【００２８】
封緘体３１への帳票体１１の封入は、順番通りに行われるものであるが、順番の異なる帳票体１１が紛れ込むことも充分にあることからすれば、各帳票体１１には総て異なる識別マークパターンを割り当てることが望ましい。しかし、帳票体１１に形成する磁性体マークの個数には大きさやピッチなどの制約があって限度があり、その中で本発明の帳票体１１は無駄な領域をなくして個数をできるだけ増やし、当該着磁のパターン数を増加させるものである。
【００２９】
そこで、図３（Ｂ）において、搬送手段２２上で搬送されてくる封緘体３１に対し、先端検出部２５がその先端を検出したときに各磁気センサ２４Ａ〜２４Ｅを検知可能状態とさせ、各磁気センサ２４Ａ〜２４Ｅの位置に封緘体３１内の帳票体１１の着磁された磁性体マークが搬送されてきたときに検知する。
【００３０】
すなわち、図３（Ｃ）に示すように、上記先端検出から時間ｔ１で磁気センサ２４Ａが基準磁性体マーク１３Ａを検知し、先端検出から時間ｔ２（ｔ２＞ｔ１）の検知時間要素（検知時間のずれ）で各磁気センサ２４Ｂ〜２４Ｅが着磁された磁性体マーク１３Ｂ〜１３Ｅを検知することで、時間的に最初に磁気センサ２４Ａによって検知されていることから当該帳票体１１が封緘体３１内に正規な状態で封入されているものと判別し、各磁気センサ２４Ｂ〜２４Ｅの検知で当該着磁のパターンが図３（Ａ）に示す認識マークパターンで判別されるものである。判別された着磁のパターンによる認識マークパターンは、当該帳票体１１に印刷された宛名等とのマッチングに供される。
【００３１】
ここで、図４及び図５に、封緘体に単一の帳票体が反転されて封入された場合のマーク検知の説明図を示す。図４（Ａ）において、封緘体３１内には、帳票体１１が正規でなく、その幅方向に反転して封入された場合を示しており、基準磁性体マーク１３Ａが磁気センサ２４Ｅに対応した位置となっている。
【００３２】
すなわち、図４（Ｂ）に示すように、上記先端検出から時間ｔ１で磁気センサ２４Ｅが基準磁性体マーク１３Ａを検知し、先端検出から時間ｔ２（ｔ２＞ｔ１）の検知時間要素（検知時間のずれ）で各磁気センサ２４Ａ〜２４Ｄが着磁された磁性体マーク１３Ｂ〜１３Ｅを検知することになる。これによって、本来、基準磁性体マーク１３Ａが磁気センサ２４Ａで先端検出から時間ｔ１で検知されるべきところを、時間ｔ１で検知した磁気センサが磁気センサ２４Ｅであることから、当該帳票体１１が封緘体３１内で幅方向に反転した状態で封入されていることを判別することができるものである。
【００３３】
また、図５（Ａ）において、封緘体３１内には、帳票体１１が正規でなく、その搬送方向に反転して封入された場合、すなわち、封緘体３１の後端側に位置された状態を示しており、基準磁性体マーク１３Ａが磁気センサ２４Ａに対応した位置となっている。
【００３４】
すなわち、図５（Ｂ）に示すように、上記先端検出から時間ｔ３で各磁気センサ２４Ｂ〜２４Ｅが着磁された磁性体マーク１３Ｂ〜１３Ｅを検知し、先端検出から時間ｔ４（ｔ４＞ｔ３）で磁気センサ２４Ａが基準磁性体マーク１３Ａを検知することになる。これによって、本来、基準磁性体マーク１３Ａが磁気センサ２４Ａで先端検出から時間ｔ１で検知されるべきところを、磁気センサ２４Ｂ〜２４Ｅが着磁された磁性体マーク１３Ｂ〜１３Ｅを時間ｔ３で検知し、かつ、時間ｔ４の検知時間要素［ｔ４＞ｔ３］（検知時間のずれ）で基準磁性体マーク１３Ａを磁気センサ２４Ａが検知したことから、当該帳票体１１が封緘体３１内で搬送方向に反転した状態で封入されていることを判別することができるものである。
【００３５】
なお、図示しないが、帳票体１１が封緘体３１内で、搬送方向及び幅方向の両方に反転していた場合には、磁気センサ２４Ａ〜２４Ｄが着磁された磁性体マーク１３Ｂ〜１３Ｅを時間ｔ３で検知し、かつ、時間ｔ４で基準磁性体マーク１３Ａを磁気センサ２４Ｅが検知されることとなって、上記状態を判別することができるものである。
【００３６】
上記実施形態では、先端検出部２５による先端検出からマーク検知をさせる場合を示したが、当該先端検出部２５は必ずしも必要なものではない。先端検出部２５を設けない場合には、最初に検知した磁気センサの時間を基準として別の磁気センサによる次の検知までの検知時間要素（検知時間のずれ）で判別することができる。このことは、以下の実施形態においても同様である。
【００３７】
このように、帳票体１１において、基準磁性体マーク１３Ａと他の磁性体マーク１３Ｂ〜１３Ｅとを搬送方向にずらせていることから、当該ずれから各磁性体マークに対応した磁気センサによる検知の検知時間要素で封緘体内の正規又は反転の封入状態を判別可能とさせることができると共に、基準磁性体マーク１３Ａと着磁パターンを構成する他の磁性体マーク１３Ｂ〜１３Ｅの一群とは搬送方向上で別位置とされることから、当該着磁パターンを構成する他の磁性体マーク１３Ｂ〜１３Ｅの一群を垂直方向上で制約なくその個数増加を図ることができるものである。
【００３８】
また、マーク検知システム２１においては、帳票体１１に形成された複数の磁性体マークが基準磁性体マーク１３Ａと他の複数の磁性体マーク１３Ｂ〜１３Ｅの一群とがずれていることから、帳票体１１の封緘体３１内での正規又は反転の封入状態が判別可能となって基準磁性体マーク１３Ａと他の複数の磁性体マーク１３Ｂ〜１３Ｅの一群とを確実に特定することができ、ひいては着磁パターンを確実に認識することができるものである。
【００３９】
ところで、図１では、着磁のパターンを形成するための磁性体マーク１３Ｂ〜１３Ｅを、基準磁性体マーク１３Ａに搬送方向上で重ねない場合を示したが、重ねることで個数増加をさらに図ることができる。この場合、基準磁性体マーク１３Ａに対応する磁気センサは時間が異なって２度検知することになるが、他の磁性体マーク１３Ｂ〜１３Ｅを検知した磁気センサとの関係で基準磁性体マーク１３Ａの特定や反転状態を判別することができるものである。このことにおいても、以下の実施形態において同様である。
【００４０】
次に、図６に、封緘体に複数の帳票体が封入された場合の説明図を示す。図６において、封緘体３１に封入される２枚の帳票体１１Ａ，１１Ｂは、共に、基準磁性体マーク１３Ａ１，１３Ａ２と他の磁性体マーク１３Ｂ１〜１３Ｅ１，１３Ｂ２〜１３Ｅ２が同じ着磁パターンで着磁され、それぞれが重なった状態が正規の形態である。
【００４１】
そこで、図７に、封緘体に複数の帳票体が封入された場合のマーク検知の説明図を示す。図７（Ａ）において、搬送手段２２上で搬送されてくる封緘体３１に対し、先端検出部２５がその先端を検出したときに各磁気センサ２４Ａ〜２４Ｅを検知可能状態とさせ、各磁気センサ２４Ａ〜２４Ｅの位置に封緘体３１内の帳票体１１Ａ，１１Ｂの基準磁性体マーク１３Ａ１，１３Ａ２と他の磁性体マーク１３Ｂ１〜１３Ｅ１，１３Ｂ２〜１３Ｅ２がそれぞれ重なった状態で搬送されてくる。
【００４２】
すなわち、図７（Ｂ）に示すように、上記先端検出から時間ｔ１で磁気センサ２４Ａが基準磁性体マーク１３Ａ１，１３Ａ２をそれぞれの着磁力が重畳された値で検知され、先端検出から時間ｔ２（ｔ２＞ｔ１）の検知時間要素（検知時間のずれ）で各磁気センサ２４Ｂ〜２４Ｅが着磁された磁性体マーク１３Ｂ１〜１３Ｅ１，１３Ｂ２〜１３Ｅ２をそれぞれの着磁力が重畳された値で検知することで、当該帳票体１１Ａ，１１Ｂが封緘体３１内に正規な状態で封入されているものと判別し、各磁気センサ２４Ｂ〜２４Ｅの検知で当該着磁パターンが図３（Ａ）に示す認識マークパターンで判別されるものである。
【００４３】
なお、各磁気センサ２４Ｂ〜２４Ｅの検知において、一つでも着磁力が重畳されない１つ分の着磁力の検知レベルとなったときには、他の異なる帳票体であることを判別することができる。
【００４４】
ここで、図８及び図９に、封緘体に複数の帳票体が反転されて封入された場合のマーク検知の説明図を示す。図８（Ａ）において、封緘体３１内には、例えば帳票体１１Ａに対して帳票体１１Ｂが正規でなく、その幅方向に反転して封入された場合を示しており、基準磁性体マーク１３Ａ２が磁気センサ２４Ｅに対応した位置となっている。
【００４５】
すなわち、図８（Ｂ）に示すように、上記先端検出から時間ｔ１で磁気センサ２４Ａが基準磁性体マーク１３Ａ１を検知すると共に、磁気センサ２４Ｅが帳票体１１Ｂの基準磁性体マーク１３Ａ２を検知する。続いて、先端検出から時間ｔ２（ｔ２＞ｔ１）の検知時間要素（検知時間のずれ）で磁気センサ２４Ａが帳票体１１Ｂの磁性体マーク１３Ｅ２を検知し、磁気センサ２４Ｂが帳票体１１Ａの磁性体マーク１３Ｂ１と帳票体１１Ｂの磁性体マーク１３Ｄ２の重畳された着磁力の検知レベルで検知し、磁気センサ２４Ｃが帳票体１１Ａの磁性体マーク１３Ｃ１と帳票体１１Ｂの磁性体マーク１３Ｃ２の重畳された着磁力の検知レベルで検知し、磁気センサ２４Ｄが帳票体１１Ａの磁性体マーク１３Ｄ１と帳票体１１Ｂの磁性体マーク１３Ｂ２の重畳された着磁力の検知レベルで検知し、磁気センサ２４Ｅが帳票体１１あの基準磁性体マーク１３Ｅ１を検知することになる。これによって、時間ｔ１で磁気センサ２４Ａと共に磁気センサ２４Ｅが検知することから、当該帳票体１１Ａ，１１Ｂのどちらかが封緘体３１内で幅方向に反転した状態で封入されていることを判別することができるものである。
【００４６】
また、図９（Ａ）において、封緘体３１内には、例えば帳票体１１Ｂがその搬送方向に反転して封入された場合、すなわち、封緘体３１の後端側に位置された状態を示しており、基準磁性体マーク１３Ａ１，１３Ａ２が磁気センサ２４Ａに対応した位置となっている。
【００４７】
すなわち、図９（Ｂ）に示すように、上記先端検出から時間ｔ１で磁気センサ２４Ａが基準磁性体マーク１３Ａ１を検知し、先端検出から時間ｔ２（ｔ２＞ｔ１）の検知時間要素（検知時間のずれ）で各磁気センサ２４Ｂ〜２４Ｅが着磁された磁性体マーク１３Ｂ１〜１３Ｅ１を検知する。続いて、封緘体３１の後端がマーク検知部２３に搬送されてくると、上記先端検出から時間ｔ３で各磁気センサ２４Ｂ〜２４Ｅが着磁された磁性体マーク１３Ｂ２〜１３Ｅ２を検知し、先端検出から時間ｔ４（ｔ４＞ｔ３）で磁気センサ２４Ａが基準磁性体マーク１３Ａ２を検知することになる。
【００４８】
これによって、磁気センサ２４Ａが時間ｔ１と時間ｔ４で基準磁性体マーク１３Ａ１，１３Ｂ２を検知することから、当該帳票体１１Ａ，１１Ｂのどちらかが封緘体３１内で搬送方向に反転した状態で封入されていることを判別することができるものである。
【００４９】
次に、図１０に、図１の所望の磁性体マークに着磁された帳票体の着磁マークを検知する第２実施形態のマーク検知システムの一部を示した説明図を示す。この実施形態は、図１〜図３に対応させたもので、図４〜図９に対しても適用することができるものである。
【００５０】
図１０（Ａ）において、マーク検知部２３は、後述の磁性体マーク１３Ａ〜１３Ｅの個数より多い磁気センサ２４−１〜２４−１１を備え、当該帳票体１１の封緘体３１内の幅方向（搬送方向の垂直方向）でのずれによる磁性体マーク１３Ａ〜１３Ｅに対して何れかの磁気センサを対応させるべく配置させたもので、他の構成は図２と同様である。そして、図示しない検知処理手段が図１０（Ｂ）又は図１０（Ｃ）のセンサ特定テーブルを備えて当該磁性体マーク１３Ａ〜１３Ｅを検知する磁気センサを特定する。
【００５１】
ここで、封緘体３１の幅をＷｅ、帳票体１１の幅をＷｆとすると、当該帳票体１１の封緘体３１内でのアバレによるずれ量は、［Ｗｅ−Ｗｆ］となる。すなわち、封緘体３１の幅をカバーする上記各磁気センサ２４（２４−１〜２４−１１）が配置される。この場合、各磁気センサ２４−１〜２４−１１の検知範囲をＳｗとし、着磁されたときの磁性体マーク１３Ａ〜１３Ｅの磁力範囲をＭｗ、配置間隔をＭｉとすると、磁気センサと磁性体マークとの関係は、［Ｓｗ≧Ｍｗ］及び［Ｓｗ＜Ｍｉ］となり、これに応じて磁気センサの個数（Ｓｎ）は封緘体２１の幅Ｗｅに対して、［Ｗｅ／Ｓｗ］の関係となる。
【００５２】
図１０（Ｂ）に示すセンサ特定テーブルは、磁性体マーク１３Ａ〜１３Ｅの配置間隔をＭｉと磁気センサ２４−１〜２４−１１の配置間隔が既知であることから、ここでは、図１０（Ａ）の磁性体マーク１３Ａ〜１３Ｅ及び磁気センサ２４-１〜２４-１１に対応させて、例えば、上記基準磁性体マーク１３Ａを検知したセンサが磁気センサ２４−１である場合には、他の磁性体マーク１３Ｂ〜１３Ｅに対応するセンサが磁気センサ２４−３，２４−５，２４−７，２４−９として特定させる。もう一例を示せば、基準磁性体マーク１３Ａを検知したセンサが磁気センサ２４−２である場合には、他の磁性体マーク１３Ｂ〜１３Ｅに対応するセンサが磁気センサ２４−４，２４−６，２４−８，２４−１０として特定させるテーブルである。このセンサ特定テーブルを使用した場合のセンサ特定を図１１で説明する。
【００５３】
また、図１０（Ｃ）に示すセンサ特定テーブルは、基準磁性体マーク１３Ａを隣接した磁気センサが共に検知した場合として、予め定めた位置の磁気センサ（ここでは、磁気センサ２４−１としている）又は予め定めた磁気センサ２４−１側に配置位置の近い磁気センサと、基準以外の磁性体マーク１３Ｂ〜１３Ｅに対応する磁気センサとが関連付けさせるテーブルである。このセンサ特定テーブルを使用した場合のセンサ特定を図１２で説明する。
【００５４】
そこで、図１１及び図１２に、図１０のマーク検知システムにおけるセンサ特定によるマーク検知の説明図を示す。図１０（Ａ）は、封緘体３１内で帳票体１１が、図上最左端にずれた場合を示したもので、この形態で基準磁性体マーク１３Ａは磁気センサ２４−１で検知される。
【００５５】
そうすると、図１０（Ｂ）に示すセンサ特定テーブルを参照して、磁気センサ２４−１に基づいて、他の磁性体マーク１３Ｂ〜１３Ｅを検知するに対応するセンサとして、磁気センサ２４−３，２４−５，２４−７，２４−９が特定される。例えば、他に磁性体マーク１３Ｂのみが着磁されている場合には、磁気センサ２４−３が検知し、他の特定された磁気センサ２４−５，２４−７，２４−９では、着磁されていない磁性体マーク１３Ｃ〜１３Ｅに対応するも検知されない。従って、磁性体マーク１３Ａ，１３Ｂの検知によって、図３（Ａ）に示す［１］のマークパターンが認識されるものである。
【００５６】
また、図１１（Ｂ）では、封緘体３１内で帳票体１１が、中央部分に位置していた場合を示したもので、この形態で基準磁性体マーク１３Ａは磁気センサ２４−２で検知される。そこで、図１０（Ｂ）に示すセンサ特定テーブルを参照して、磁気センサ２４−２に基づいて、他の磁性体マーク１３Ｂ〜１３Ｅを検知するに対応するセンサとして、磁気センサ２４−４，２４−６，２４−８，２４−１０が特定される。例えば、他に磁性体マーク１３Ｃのみが着磁されている場合には、磁気センサ２４−６が検知し、他の特定された磁気センサ２４−４，２４−８，２４−１０では、着磁されていない磁性体マーク１３Ｂ，１３Ｄ，１３Ｅに対応するも検知されない。従って、磁性体マーク１３Ａ，１３Ｃの検知によって、図３（Ａ）に示す［２］のマークパターンが認識されるものである。
【００５７】
さらに、図１１（Ｃ）では、封緘体３１内で帳票体１１が、図上最右端にずれていた場合を示したもので、この形態で基準磁性体マーク１３Ａは磁気センサ２４−３で検知される。そこで、図１０（Ｂ）に示すセンサ特定テーブルを参照して、磁気センサ２４−３に基づいて、他の磁性体マーク１３Ｂ〜１３Ｅを検知するに対応するセンサとして、磁気センサ２４−５，２４−７，２４−９，２４−１１が特定される。例えば、他に磁性体マーク１３Ｂ，１３Ｃのみが着磁されている場合には、磁気センサ２４−５，２４−７が検知し、他の特定された磁気センサ２４−９，２４−１１では、着磁されていない磁性体マーク１３Ｄ，１３Ｅに対応するも検知されない。従って、磁性体マーク１３Ａ〜１３Ｃの検知によって、図３（Ａ）に示す［３］のマークパターンが認識されるものである。
【００５８】
このように、封緘体３１内での帳票体１１の幅方向のずれに対しても基準磁性体マーク１３Ａを検出することで他の磁気センサによって他の磁性体マークに対応できるもので、これを基準磁性体マーク１３Ａに対して他の複数の磁性体マーク１３Ｂ〜１３Ｅの一群が搬送方向にずらせた列で垂直方向に連設状態で形成させた帳票体１１に対しても適用することができるものである。
【００５９】
また、図１２（Ａ）に示すように、封緘体３１内での帳票体１１のずれにより、基準磁性体マーク１３Ａを磁気センサ２４−１，２４−２が検知した場合、図１０（Ｃ）に示すセンサ特定テーブルを参照して、磁気センサ２４−１，２４−２のうち、磁気センサ２４−１に基づいて、他の磁性体マーク１３Ｂ〜１３Ｅを検知するに対応するセンサとして、磁気センサ２４−３，２４−５，２４−７，２４−９を特定するものである。
【００６０】
また、図１２（Ｂ）に示すように、封緘体３１内での帳票体１１のずれにより、基準磁性体マーク１３Ａを磁気センサ２４−２，２４−３が検知した場合、図１０（Ｃ）に示すセンサ特定テーブルを参照して、磁気センサ２４−２，２４−３のうち、磁気センサ２４−２に基づいて、他の磁性体マーク１３Ｂ〜１３Ｅを検知するに対応するセンサとして、磁気センサ２４−４，２４−６，２４−８，２４−１０を特定するものである。
【００６１】
このように、封緘体３１内での帳票体１１のずれによって、基準磁性体マーク１３Ａを隣接する磁気センサの両方が検知した場合であっても、他の磁性体マーク１３Ｂ〜１３Ｅに対応する磁気センサを特定することができるもので、これを基準磁性体マーク１３Ａに対して他の複数の磁性体マーク１３Ｂ〜１３Ｅの一群が搬送方向にずらせた列で垂直方向に連設状態で形成させた帳票体１１に対しても適用することができるものである。
【産業上の利用可能性】
【００６２】
本発明の磁性体マークを備える帳票体は、当該帳票体のマッチング等のために磁気センサで検知される磁性体マークが形成される場合に適する。
【図面の簡単な説明】
【００６３】
【図１】本発明の帳票体の一部を示した構成図である。
【図２】図１の帳票体の着磁された磁性体マークを検知する第１実施形態のマーク検知システムの一部を示した説明図である。
【図３】図２のマーク検知の説明図である。
【図４】封緘体に単一の帳票体が反転されて封入された場合のマーク検知の説明図（１）である。
【図５】封緘体に単一の帳票体が反転されて封入された場合のマーク検知の説明図（２）である。
【図６】封緘体に複数の帳票体が封入された場合の説明図である。
【図７】封緘体に複数の帳票体が封入された場合のマーク検知の説明図である。
【図８】封緘体に複数の帳票体が反転されて封入された場合のマーク検知の説明図（１）である。
【図９】封緘体に複数の帳票体が反転されて封入された場合のマーク検知の説明図（２）である。
【図１０】図１の所望の磁性体マークに着磁された帳票体の着磁マークを検知する第２実施形態のマーク検知システムの一部を示した説明図である。
【図１１】図１０のマーク検知システムにおけるセンサ特定によるマーク検知の説明図（１）である。
【図１２】図１０のマーク検知システムにおけるセンサ特定によるマーク検知の説明図（２）である。
【図１３】本発明の前提となる帳票体の一例の説明図である。
【図１４】図１３における帳票体のマーク検知の説明図である。
【符号の説明】
【００６４】
１１            帳票体
１２            帳票基部
１３            磁性体マーク
２１            マーク検知システム
２２            搬送手段
２３            着磁マーク検知部
２４            磁気センサ
３１            封緘体
【図１】
2010140304.tif 000003
【図２】
2010140304.tif 000004
【図３】
2010140304.tif 000005
【図４】
2010140304.tif 000006
【図５】
2010140304.tif 000007
【図６】
2010140304.tif 000008
【図７】
2010140304.tif 000009
【図８】
2010140304.tif 000010
【図９】
2010140304.tif 000011
【図１０】
2010140304.tif 000012
【図１１】
2010140304.tif 000013
【図１２】
2010140304.tif 000014
【図１３】
2010140304.tif 000015
【図１４】
2010140304.tif 000016